【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
体積イメージデータを処理する方法であって、
３次元データ点から複数の２次元イメージマップを得ること、
前記複数の２次元イメージマップのうちの少なくとも１つを抽出し、少なくとも１つのイメージフレームを形成すること、および
前記少なくとも１つのイメージフレームからフレームギャラリを作成することを含み、
前記少なくとも１つのイメージフレームが根本的に異なるフレームを含み、
前記根本的に異なるフレームが、
２つのイメージフレームのすべての対応するピクセル間の差分の平方の和によって前記２つのイメージフレーム間の差分和を計算すること、および
計算した差分和に基づいて各イメージフレームについての重要度の値を計算することであって、前記根本的に異なるフレームが、各イメージフレームについての重要度の計算値に基づいて求められる、計算すること
によって求められる、
方法。
【請求項２】
前記複数の２次元イメージマップおよび前記複数の２次元イメージマップのそれぞれに関連する時間データに基づいて体積イメージデータを構築することをさらに含む請求項１に記載の方法。
【請求項３】
前記体積イメージデータと共に前記フレームギャラリをレンダリングする複合イメージデータを生成することをさらに含む請求項２に記載の方法。
【請求項４】
前記体積イメージデータを構築することが、前記体積イメージデータにアイソサーフェス視覚化プロセスを適用することを含む請求項２に記載の方法。
【請求項５】
前記フレームギャラリが前記体積イメージデータ内でレンダリングされる請求項３に記載の方法。
【請求項６】
前記フレームギャラリが前記体積イメージデータを取り囲んでレンダリングされる請求項３に記載の方法。
【請求項７】
前記３次元データ点が異なる時点で収集されたデータを含み、前記複数の２次元イメージマップが時間次元で順序付けされたデータを集合的に表す請求項１に記載の方法。
【請求項８】
体積イメージデータを処理する方法であって、
３次元データ点から複数の２次元イメージマップを得ること、
前記複数の２次元イメージマップのうちの少なくとも１つを抽出し、少なくとも１つのイメージフレームを形成すること、および
前記少なくとも１つのイメージフレームからフレームギャラリを作成することを含み、
前記少なくとも１つのイメージフレームが代表的フレームを含み、
前記代表的フレームが、
２つのイメージフレームのすべての対応するピクセル間の差分の平方の和によって前記２つのイメージフレーム間の差分和を計算すること、
計算した差分和に基づいて各イメージフレームについての重要度の値を計算すること、および
各イメージフレームについての重要度の計算値に基づいて、前記体積イメージデータをビンに分割することであって、前記ビンのそれぞれからの１つのフレームが、前記代表的フレームとして抽出される、分割すること
によって求められる、
方法。
【請求項９】
前記複数の２次元イメージマップおよび前記複数の２次元イメージマップのそれぞれに関連する時間データに基づいて体積イメージデータを構築することをさらに含む請求項８に記載の方法。
【請求項１０】
前記体積イメージデータと共に前記フレームギャラリをレンダリングする複合イメージデータを生成することをさらに含む請求項９に記載の方法。
【請求項１１】
前記体積イメージデータを構築することが、前記体積イメージデータにアイソサーフェス視覚化プロセスを適用することを含む請求項９に記載の方法。
【請求項１２】
前記フレームギャラリが前記体積イメージデータ内でレンダリングされる請求項１０に記載の方法。
【請求項１３】
前記フレームギャラリが前記体積イメージデータを取り囲んでレンダリングされる請求項１０に記載の方法。
【請求項１４】
前記３次元データ点が異なる時点で収集されたデータを含み、前記複数の２次元イメージマップが時間次元で順序付けされたデータを集合的に表す請求項８に記載の方法。
【請求項１５】
体積イメージデータを処理する装置であって、
３次元データ点から複数の２次元イメージマップを得るように構成された取得ユニットと、
前記複数の２次元イメージマップのうちの少なくとも１つを抽出し、少なくとも１つのイメージフレームを形成するように構成された抽出ユニットと、
前記少なくとも１つのイメージフレームからフレームギャラリを作成するように構成された作成ユニットとを備え、
前記少なくとも１つのイメージフレームが根本的に異なるフレームを含み、
前記抽出ユニットが決定ユニットを備え、前記決定ユニットが、
２つのイメージフレームのすべての対応するピクセル間の差分の平方の和によって前記２つのイメージフレーム間の差分和を計算すること、および
計算した差分和に基づいて各イメージフレームについての重要度の値を計算することであって、前記根本的に異なるフレームが、各イメージフレームについての重要度の計算値に基づいて求められる、計算すること
によって前記根本的に異なるフレームを求めるように構成されている、
装置。
【請求項１６】
前記複数の２次元イメージマップおよび前記複数の２次元イメージマップのそれぞれに関連する時間データに基づいて体積イメージデータを構築するように構成された構築ユニットをさらに備える請求項１５に記載の装置。
【請求項１７】
前記体積イメージデータと共に前記フレームギャラリをレンダリングする複合イメージデータを生成するように構成された生成ユニットをさらに備える請求項１６に記載の装置。
【請求項１８】
前記構築ユニットが、前記体積イメージデータにアイソサーフェス視覚化プロセスを適用するように構成されている請求項１６に記載の装置。
【請求項１９】
前記フレームギャラリが前記体積イメージデータ内でレンダリングされる請求項１７に記載の装置。
【請求項２０】
前記フレームギャラリが前記体積イメージデータを取り囲んでレンダリングされる請求項１７に記載の装置。
【請求項２１】
前記３次元データ点が異なる時点で収集されたデータを含み、前記複数の２次元イメージマップが時間次元で順序付けされたデータを集合的に表す請求項１５に記載の装置。
【請求項２２】
体積イメージデータを処理する装置であって、
３次元データ点から複数の２次元イメージマップを得るように構成された取得ユニットと、
前記複数の２次元イメージマップのうちの少なくとも１つを抽出し、少なくとも１つのイメージフレームを形成するように構成された抽出ユニットと、
前記少なくとも１つのイメージフレームからフレームギャラリを作成するように構成された作成ユニットとを備え、
前記少なくとも１つのイメージフレームが代表的フレームを含み、
前記抽出ユニットが決定ユニットを備え、前記決定ユニットが、
２つのイメージフレームのすべての対応するピクセル間の差分の平方の和によって前記２つのイメージフレーム間の差分和を計算すること、
計算した差分和に基づいて各イメージフレームについての重要度の値を計算すること、および
各イメージフレームについての重要度の計算値に基づいて、前記体積イメージデータをビンに分割することであって、前記ビンのそれぞれからの１つのフレームが、前記代表的フレームとして抽出されること
によって前記代表的フレームを求めるように構成されている、
装置。
【請求項２３】
前記複数の２次元イメージマップおよび前記複数の２次元イメージマップのそれぞれに関連する時間データに基づいて体積イメージデータを構築するように構成された構築ユニットをさらに備える請求項２２に記載の装置。
【請求項２４】
前記体積イメージデータと共に前記フレームギャラリをレンダリングする複合イメージデータを生成するように構成された生成ユニットをさらに備える請求項２３に記載の装置。
【請求項２５】
前記構築ユニットが、前記体積イメージデータにアイソサーフェス視覚化プロセスを適用するように構成されている請求項２３に記載の装置。
【請求項２６】
前記フレームギャラリが前記体積イメージデータ内でレンダリングされる請求項２４に記載の装置。
【請求項２７】
前記フレームギャラリが前記体積イメージデータを取り囲んでレンダリングされる請求項２４に記載の装置。
【請求項２８】
前記３次元データ点が異なる時点で収集されたデータを含み、前記複数の２次元イメージマップが時間次元で順序付けされたデータを集合的に表す請求項２２に記載の装置。
【請求項２９】
体積イメージデータを処理する方法であって、
３次元データ点から複数の２次元イメージマップを得ること、
前記複数の２次元イメージマップのうちの少なくとも１つを抽出し、少なくとも１つのイメージフレームを形成すること、および
前記少なくとも１つのイメージフレームからフレームギャラリを作成すること
を含む方法。
【請求項３０】
前記少なくとも１つのイメージフレームが、根本的に異なるフレームまたは代表的フレームのうちの１つである請求項２９に記載の方法。
【請求項３１】
体積イメージデータを処理する装置であって、
３次元データ点から複数の２次元イメージマップを得る取得ユニットと、
前記複数の２次元イメージマップのうちの少なくとも１つを抽出し、少なくとも１つのイメージフレームを形成する抽出ユニットと、
前記少なくとも１つのイメージフレームからフレームギャラリを作成する作成ユニットと
を備える装置。
【請求項３２】
前記少なくとも１つのイメージフレームが、根本的に異なるフレームまたは代表的フレームのうちの１つである請求項３１に記載の装置。
【請求項３３】
体積イメージデータを処理する方法であって、
３次元データ点から複数の２次元イメージマップを得ること、
前記複数の２次元イメージマップおよび前記複数の２次元イメージマップのそれぞれに関連する時間データに基づいて体積イメージデータを構築すること、および
前記体積イメージデータに特異点グラフを適用すること
を含む方法。
【請求項３４】
特異点グラフを適用することが、
ヤコビアン行列の固有値および固有ベクトルに基づいて前記体積イメージデータの勾配フィールドおよび特異点を計算すること、および
計算した特異点およびその間の流線に基づいて前記特異点グラフを生成すること
をさらに含む請求項３３に記載の方法。